(57)【要約】【課題】プリント生産物が注文と対応するか否かの確認を容易にし、プリント生産の処理効率の向上を図る。【解決手段】プリント生産システム１では、プリント注文票Ｆに記入された注文情報に基づいてプリント生産物Ｓが生産され、そのプリント生産後に、プリント注文票Ｆの無線ＩＣタグ１０から読み出した注文情報と、プリント生産物Ｓの無線ＩＣタグ２０から読み出したプリント生産情報とが比較され、プリント収容袋Ｂと当該プリント収容袋Ｂに収容されるプリント生産物Ｓとの対応がとれているか否かが判別される。【選択図】          図１
2004264375.tif 000002
【特許請求の範囲】
【請求項１】
プリント注文票に記載された注文情報に基づいてプリント生産装置によりプリント生産を行うプリント生産方法において、
前記プリント注文票に設けられた、非接触で電子情報の読み書きが可能な情報記録部に、前記注文情報を記録する第１の記録工程と、
前記注文情報に基づいてプリント生産装置がプリント生産を行うプリント生産工程と、
プリント生産物に設けられた、非接触で電子情報の読み書きが可能な情報記録部に、プリント生産情報を記録する第２の記録工程と、
前記プリント注文票の情報記録部から注文情報を読み取るとともに、前記プリント生産物の情報記録部からプリント生産情報を読み取る読取工程と、
前記読み取られた注文情報とプリント生産情報とを比較し、当該注文情報とプリント生産情報とが対応するか否かを判別する判別工程と、
前記判別工程において、注文情報とプリント生産情報の対応しないと判別された場合、注文とプリント生産物とが対応しないことを警告する警告工程と、
を含むことを特徴とするプリント生産方法。
【請求項２】
前記判別工程において、注文情報とプリント生産情報とが対応していると判別された場合、前記読取工程でプリント生産物の情報記録部から読み取られたプリント生産情報を、プリント注文票の情報記録部に記録する第３の記録工程を含むことを特徴とする請求項１に記載のプリント生産方法。
【請求項３】
再注文時に、前記プリント生産物の情報記録部に記録されたプリント生産情報又は前記プリント生産物の情報記録部に記録された注文情報及びプリント生産情報に基づいてプリント生産装置がプリント生産を行うことを特徴とする請求項２に記載のプリント生産方法。
【請求項４】
前記第２の記録工程では、同一注文に応じてプリント生産された全てのプリント生産物の情報記録部にプリント生産情報を記録することを特徴とする請求項１〜３の何れか一項に記載のプリント生産方法。
【請求項５】
前記第２の記録工程では、同一注文に応じてプリント生産された全てのプリント生産物のうち、一部のプリント生産物の情報記録部にプリント生産情報を記録することを特徴とする請求項１〜３の何れか一項に記載のプリント生産方法。
【請求項６】
前記プリント注文票は、プリント生産物を収容可能なプリント収容袋に備えられ、
前記読取工程では、前記プリント収容袋にプリント生産物が収容される前に、プリント注文票の情報記録部から注文情報を読み取り、プリント生産物の情報記録部からプリント生産情報を読み取ることを特徴とする請求項１〜５の何れか一項に記載のプリント生産方法。
【請求項７】
前記プリント注文票は、プリント生産物を収容可能なプリント収容袋に備えられ、
前記読取工程では、前記プリント収容袋にプリント生産物が収容された後に、プリント注文票の情報記録部から注文情報を読み取り、プリント生産物の情報記録部からプリント生産情報を読み取ることを特徴とする請求項１〜５の何れか一項に記載のプリント生産方法。
【請求項８】
プリント注文票に記載された注文情報に基づいてプリント注文を受け付ける受付端末と、プリント生産を行うプリント生産装置とが接続されたプリント生産システムにおいて、
前記プリント注文票及びプリント生産物に、非接触で電子情報を読み書き可能な情報記録部が設けられ、
前記プリント生産装置は、前記プリント生産物の情報記録部にプリント生産情報を記録する第１の記録手段を備え、
前記受付端末又はプリント生産装置は、
前記プリント注文票の情報記録部に注文情報を記録する第２の記録手段と、
前記プリント注文票の情報記録部から注文情報を読み取るとともに、プリント生産装置によりプリント生産されたプリント生産物の情報記録部からプリント生産情報を読み取る読取手段と、
前記読み取られた注文情報とプリント生産情報とを比較し、当該注文情報とプリント生産情報とが対応するか否かを判別する判別手段と、
前記判別手段により、注文情報とプリント生産情報とが対応していないと判別された場合、注文とプリント生産物とが対応していないことを警告する警告手段と、
を備えることを特徴とするプリント生産システム。
【請求項９】
前記第２の記録手段は、前記判別手段により注文情報とプリント生産情報とが対応していると判別された場合、前記読取手段によりプリント生産物の情報記録部から読み出されたプリント生産情報を、プリント注文票の情報記録部に記録することを特徴とする請求項８に記載のプリント生産システム。
【請求項１０】
前記プリント生産装置は、再注文時に、前記プリント生産物の情報記録部に記録されたプリント生産情報又は前記プリント生産物の情報記録部に記録された注文情報及びプリント生産情報に基づいてプリント生産を行うことを特徴とする請求項９に記載のプリント生産システム。
【請求項１１】
前記第１の記録手段は、同一注文に応じてプリント生産された全てのプリント生産物の情報記録部にプリント生産情報を記録することを特徴とする請求項８〜１０の何れか一項に記載のプリント生産システム。
【請求項１２】
前記第１の記録手段は、同一注文に応じてプリント生産された全てのプリント生産物のうち、一部のプリント生産物の情報記録部にプリント生産情報を記録することを特徴とする請求項８〜１０の何れか一項に記載のプリント生産システム。
【請求項１３】
前記プリント注文票は、プリント生産物を収容可能なプリント収容袋に備えられ、
前記読取手段は、前記プリント収容袋にプリント生産物が収容される前に、プリント注文票の情報記録部から注文情報を読み取り、プリント生産物の情報記録部からプリント生産情報を読み取ることを特徴とする請求項８〜１２の何れか一項に記載のプリント生産システム。
【請求項１４】
前記プリント注文票は、プリント生産物を収容可能なプリント収容袋に備えられ、
前記読取手段は、前記プリント収容袋にプリント生産物が収容された後に、プリント注文票の情報記録部から注文情報を読み取り、プリント生産物の情報記録部からプリント生産情報を読み取ることを特徴とする請求項８〜１２の何れか一項に記載のプリント生産システム。
【請求項１５】
プリントの注文情報が記載されたプリント注文票において、
非接触で電子情報の読み書きが可能な情報記録部を備え、当該情報記録部にプリントの注文情報を記録することを特徴とするプリント注文票。
【請求項１６】
非接触で電子情報の読み書きが可能な情報記録部にプリントの注文情報を記録するプリント注文票を備え、プリント生産物の収容が可能であることを特徴とするプリント収容袋。
【請求項１７】
非接触で電子情報の読み書きが可能な情報記録部を備え、当該情報記録部にプリント生産に関するプリント生産情報を記録することを特徴とするプリント生産物。
【発明の詳細な説明】
【０００１】
【発明の属する技術分野】
本発明は、注文情報に応じてプリント生産を行うプリント生産方法、プリント生産システム、プリント注文票、プリント収容袋及びプリント生産物に関する。
【０００２】
【従来の技術】
従来、顧客からプリント注文を受けて写真、ポストカード、シールプリント等のプリント生産物を生産するプリント生産システムでは、そのプリント生産物とともにプリント処理されたネガフィルムが、プリント収容袋に収容されて顧客に渡されていた（例えば、特許文献１参照）。
【０００３】
このプリント収容袋には、プリント注文票が備えられており、注文者の氏名、電話番号や、注文を受け付けた日付、プリント生産する画像のコマ番号、プリントサイズ、プリント枚数等の注文情報を記入する記入欄が設けられている。注文者は、再度プリント注文を行う際には、このプリント注文票に注文情報を記入し、プリント店舗に持ち込む。プリント店舗の店員は、プリント注文票に記載された注文情報に基づいて、プリント生産装置によりプリント生産を行う。
【０００４】
【特許文献１】
特開平１０−２０４０８号公報
【０００５】
【発明が解決しようとする課題】
しかしながら、上記プリント生産方法では、店舗側でプリント生産物が注文内容に応じたものであるか否か、或いはプリント収容袋とその袋に収容されるプリント生産物の対応がとれているか否かを確認するために、プリント生産物とプリント収容袋に記載された注文情報とを照合しなければならず、大量の注文を受け付ける店舗ではその照合作業は非常に煩雑であった。
【０００６】
最近では、プリント生産物を自動的に仕分けてプリント収容袋に収容する梱包装置も開発されている。この梱包装置をプリント生産システムで用いた場合、照合作業のために一度プリント収容袋からプリント生産物を取り出して照合を行い、照合がとれた後、再度プリント収容袋にプリント生産物を収めるので、梱包作業が二度手間となってしまい、作業効率が悪い。
【０００７】
本発明の課題は、プリント生産物が注文と対応するか否かの確認を容易にし、プリント生産の処理効率の向上を図ることである。
【０００８】
【課題を解決するための手段】
請求項１に記載の発明は、
プリント注文票に記載された注文情報に基づいてプリント生産装置によりプリント生産を行うプリント生産方法において、
前記プリント注文票に設けられた、非接触で電子情報の読み書きが可能な情報記録部に、前記注文情報を記録する第１の記録工程と、
前記注文情報に基づいてプリント生産装置がプリント生産を行うプリント生産工程と、
プリント生産物に設けられた、非接触で電子情報の読み書きが可能な情報記録部に、プリント生産情報を記録する第２の記録工程と、
前記プリント注文票の情報記録部から注文情報を読み取るとともに、前記プリント生産物の情報記録部からプリント生産情報を読み取る読取工程と、
前記読み取られた注文情報とプリント生産情報とを比較し、当該注文情報とプリント生産情報とが対応するか否かを判別する判別工程と、
前記判別工程において、注文情報とプリント生産情報の対応しないと判別された場合、注文とプリント生産物とが対応しないことを警告する警告工程と、
を含むことを特徴としている。
【０００９】
請求項８に記載の発明は、
プリント注文票に記載された注文情報に基づいてプリント注文を受け付ける受付端末と、プリント生産を行うプリント生産装置とが接続されたプリント生産システムにおいて、
前記プリント注文票及びプリント生産物に、非接触で電子情報を読み書き可能な情報記録部が設けられ、
前記プリント生産装置は、前記プリント生産物の情報記録部にプリント生産情報を記録する第１の記録手段を備え、
前記受付端末又はプリント生産装置は、
前記プリント注文票の情報記録部に注文情報を記録する第２の記録手段と、
前記プリント注文票の情報記録部から注文情報を読み取るとともに、プリント生産装置によりプリント生産されたプリント生産物の情報記録部からプリント生産情報を読み取る読取手段と、
前記読み取られた注文情報とプリント生産情報とを比較し、当該注文情報とプリント生産情報とが対応するか否かを判別する判別手段と、
前記判別手段により、注文情報とプリント生産情報とが対応していないと判別された場合、注文とプリント生産物とが対応していないことを警告する警告手段と、
を備えることを特徴としている。
【００１０】
請求項１、８に記載の発明によれば、プリント注文票の情報記録部から注文情報を、プリント生産物の情報記録部からプリント生産情報を読み出して対応しているか否かを判別し、対応していない場合は注文とプリント生産物とが対応していないことを警告するので、注文とプリント生産物との対応を確認するオペレータの照合作業を省略することができ、プリント生産の処理効率を向上させることができる。
【００１１】
請求項２に記載の発明は、請求項１に記載のプリント生産方法において、
前記判別工程において、注文情報とプリント生産情報とが対応していると判別された場合、前記読取工程でプリント生産物の情報記録部から読み取られたプリント生産情報を、プリント注文票の情報記録部に記録する第３の記録工程を含むことを特徴としている。
【００１２】
請求項９に記載の発明は、請求項８に記載のプリント生産システムにおいて、前記第２の記録手段は、前記判別手段により注文情報とプリント生産情報とが対応していると判別された場合、前記読取手段によりプリント生産物の情報記録部から読み出されたプリント生産情報を、プリント注文票の情報記録部に記録することを特徴としている。
【００１３】
請求項２、９に記載の発明によれば、注文情報とプリント生産情報とが対応している場合は、プリント生産情報をプリント注文票の情報記録部に記録するので、プリント注文票の情報記録部に注文情報及びプリント生産情報の履歴を記録することができ、履歴の確認が容易となる。
【００１４】
請求項３に記載の発明は、請求項２に記載のプリント生産方法において、
再注文時に、前記プリント生産物の情報記録部に記録されたプリント生産情報又は前記プリント生産物の情報記録部に記録された注文情報及びプリント生産情報に基づいてプリント生産装置がプリント生産を行うことを特徴としている。
【００１５】
請求項１０に記載の発明は、請求項９に記載のプリント生産システムにおいて、
前記プリント生産装置は、再注文時に、前記プリント生産物の情報記録部に記録されたプリント生産情報又は前記プリント生産物の情報記録部に記録された注文情報及びプリント生産情報に基づいてプリント生産を行うことを特徴としている。
【００１６】
請求項３、１０に記載の発明によれば、再注文時には情報記録部に記録されているプリント生産情報及び／又は注文情報に基づいてプリント生産を行うので、再注文時でも、前回の注文時と同じ注文条件、プリント条件でプリントを行うことができる。
【００１７】
請求項４に記載の発明は、請求項１〜３の何れか一項に記載のプリント生産方法において、
前記第２の記録工程では、同一注文に応じてプリント生産された全てのプリント生産物の情報記録部にプリント生産情報を記録することを特徴としている。
【００１８】
請求項１１に記載の発明は、請求項８〜１０の何れか一項に記載のプリント生産システムにおいて、
前記第１の記録手段は、同一注文に応じてプリント生産された全てのプリント生産物の情報記録部にプリント生産情報を記録することを特徴としている。
【００１９】
請求項４、１１に記載の発明によれば、同一注文に属する全てのプリント生産物の情報記録部にプリント生産情報が記録されるので、より確実に注文とプリント生産物との対応確認を行うことができる。
【００２０】
請求項５に記載の発明は、請求項１〜３の何れか一項に記載のプリント生産方法において、
前記第２の記録工程では、同一注文に応じてプリント生産された全てのプリント生産物のうち、一部のプリント生産物の情報記録部にプリント生産情報を記録することを特徴としている。
【００２１】
請求項１２に記載の発明は、請求項８〜１０の何れか一項に記載のプリント生産システムにおいて、
前記第１の記録手段は、同一注文に応じてプリント生産された全てのプリント生産物のうち、一部のプリント生産物の情報記録部にプリント生産情報を記録することを特徴としている。
【００２２】
請求項５、１２に記載の発明によれば、同一注文に属するプリント生産物の一部にプリント生産情報が記録されるので、注文情報とプリント生産情報との対応確認に必要な一部だけの記録で済み、プリント生産の処理効率を向上させることができる。
【００２３】
請求項６に記載の発明は、請求項１〜５の何れか一項に記載のプリント生産方法において、
前記プリント注文票は、プリント生産物を収容可能なプリント収容袋に備えられ、
前記読取工程では、前記プリント収容袋にプリント生産物が収容される前に、プリント注文票の情報記録部から注文情報を読み取り、プリント生産物の情報記録部からプリント生産情報を読み取ることを特徴としている。
【００２４】
請求項１３に記載の発明は、請求項８〜１２の何れか一項に記載のプリント生産システムにおいて、
前記プリント注文票は、プリント生産物を収容可能なプリント収容袋に備えられ、
前記読取手段は、前記プリント収容袋にプリント生産物が収容される前に、プリント注文票の情報記録部から注文情報を読み取り、プリント生産物の情報記録部からプリント生産情報を読み取ることを特徴としている。
【００２５】
請求項６、１３に記載の発明によれば、プリント収容袋にプリント生産物を収容する前に、注文情報とプリント生産情報とを読み取るので、収容前に注文情報とプリント生産情報とが対応しているか否かを判別することができる。
【００２６】
請求項７に記載の発明は、請求項１〜５の何れか一項に記載のプリント生産方法において、
前記プリント注文票は、プリント生産物を収容可能なプリント収容袋に備えられ、
前記読取工程では、前記プリント収容袋にプリント生産物が収容された後に、プリント注文票の情報記録部から注文情報を読み取り、プリント生産物の情報記録部からプリント生産情報を読み取ることを特徴としている。
【００２７】
請求項１４に記載の発明は、請求項８〜１２の何れか一項に記載のプリント生産システムにおいて、
前記プリント注文票は、プリント生産物を収容可能なプリント収容袋に備えられ、
前記読取手段は、前記プリント収容袋にプリント生産物が収容された後に、プリント注文票の情報記録部から注文情報を読み取り、プリント生産物の情報記録部からプリント生産情報を読み取ることを特徴としている。
【００２８】
請求項７、１４に記載の発明によれば、プリント収容袋にプリント生産物を収容した後に、注文情報とプリント生産情報とを読み取るので、収容後であっても注文情報とプリント生産情報とが対応しているか否かを判別することができる。
【００２９】
請求項１５に記載の発明は、
プリントの注文情報が記載されたプリント注文票において、
非接触で電子情報の読み書きが可能な情報記録部を備え、当該情報記録部にプリントの注文情報を記録することを特徴としている。
【００３０】
請求項１５に記載の発明によれば、注文情報を電子情報としてプリント注文票に記録することができる。
【００３１】
請求項１６に記載の発明は、
非接触で電子情報の読み書きが可能な情報記録部にプリントの注文情報を記録するプリント注文票を備え、プリント生産物の収容が可能であることを特徴とするプリント収容袋であることを特徴としている。
【００３２】
請求項１６に記載の発明によれば、注文情報を電子情報として記録するプリント注文票をプリント収容袋に設けることができる。
【００３３】
請求項１７に記載の発明は、
非接触で電子情報の読み書きが可能な情報記録部を備え、当該情報記録部にプリント生産に関するプリント生産情報を記録することを特徴とするプリント生産物であることを特徴としている。
【００３４】
請求項１７に記載の発明によれば、プリント生産情報を電子情報としてプリント生産物に記録することができる。
【００３５】
【発明の実施の形態】
以下、図を参照して本発明の実施の形態を詳細に説明する。
本実施の形態では、ＲＦＩＤ（Ｒａｄｉｏ  Ｆｒｅｑｕｅｎｃｙ  ＩＤｅｎｔｉｆｉｃａｔｉｏｎ）と呼ばれる、無線通信による自動識別技術を利用して、プリント注文票及びプリント生産物に非接触で電子情報の読み書きが可能な無線ＩＣ（Ｉｎｔｅｇｒａｔｅｄ  Ｃｉｒｃｕｉｔ）タグを備え、プリント注文票の無線ＩＣタグには注文情報を記録し、プリント生産物の無線ＩＣタグにはプリント生産情報を記録して、プリント注文票が印刷されたプリント収容袋にプリント生産物を収容する際に、プリント注文票の注文情報と、プリント生産物のプリント生産情報とを比較し、各情報の対応がとれているか否か、つまりプリント生産物が注文と対応するか否かを判別するプリント生産システムの例を説明する。
【００３６】
まず、構成を説明する。
図１に、本実施の形態におけるプリント生産システム１のシステム構成を示す。
図１に示すように、プリント生産システム１は、プリント注文票Ｆが印刷されたプリント収容袋Ｂによりプリント注文を受け付けて注文管理を行う受付端末４０と、プリント注文に応じてプリント生産物Ｓを生産するプリント生産装置１００とから構成される。受付端末４０とプリント生産装置１００は、ケーブルＣを介して相互に情報の送受信が可能に接続されている。
【００３７】
まず、プリント収容袋Ｂについて説明する。
プリント収容袋Ｂは、プリント生産装置１００によりプリント生産されたプリント生産物（写真、ポストカード、記録媒体等を含む）Ｓを内部に収容可能であり、その表面には、注文内容を特定する注文情報を記入するためのプリント注文票Ｆが印刷されている。
【００３８】
図２に、プリント収容袋Ｂの表面に印刷されたプリント注文票Ｆを示す。
図２に示すように、プリント注文票Ｆの上部左側には、注文情報としてプリント注文者の氏名、電話番号、メールアドレス等の注文者に関する情報を記入するための記入欄Ｆ１が印刷されている。また、上部右側には、プリント注文を個別に識別するための注文ＩＤと、そのバーコードＦ２とが印刷され、その下部には、プリント注文を受けた店舗の店舗名、電話番号、住所等の店舗情報Ｆ３が印刷されている。
【００３９】
中央部には、プリント注文を受け付けた日付、プリント生産物を注文者に渡す予定日、プリント枚数、プリントサイズ、プリント方向、プリント種類（例えば、写真プリント、ポストカードプリント、ＣＤ−Ｒ等の記録媒体への記録等）、プリント料金、加工方法（例えば、クローズアップ、トリミング等）、プリント料金の支払い方法（例えば、来店現金決済、銀行振り込み等）、プリント生産物の受け取り方法（例えば、店舗で受け取り、配送等）、プリント生産物を配送する際の配送先情報等のプリント注文に係る情報を記入するための記入欄Ｆ４が印刷されている。
【００４０】
また、プリント注文票Ｆの右側下部には、無線ＩＣタグ１０が貼付又は埋め込まれる等して組み込まれる。無線ＩＣタグ１０は、注文情報を電子情報として記録する情報記録部であり、リーダライタによりこの無線ＩＣタグ１０に記録された注文情報を読み書きすることが可能である。
【００４１】
図３に、無線ＩＣタグ１０の機能的構成を示す。
図３に示すように、無線ＩＣタグ１０は、アンテナ１１、送受信回路１２、電源回路１３、制御回路１４、メモリ１５から構成される。本実施の形態では、無線ＩＣタグの通信方式として、電磁誘導方式を適用した例を説明するが、電磁結合方式、マイクロ波方式、光方式等、その他の通信方式であってもよい。
【００４２】
アンテナ１１は、ループアンテナを備え、リーダライタから送信された電波信号を受信し、受信した信号を送受信回路１２に出力する。また、送受信回路１２からの入力信号をリーダライタに送信する。
【００４３】
送受信回路１２は、アンテナ１１からの入力信号を復調して制御回路１４に出力する。また、制御回路１４からの入力信号を変調増幅し、アンテナ１１に出力する。
【００４４】
電源回路１３は、アンテナ１１を介してプリント生産装置１００から受信した電波を電圧に変換し、無線ＩＣタグ１０への各部への電源供給を行う。
【００４５】
制御回路１４は、送受信回路１２からの入力信号に応じて、メモリ１５への情報の書き込み（記録）動作を行う。また、制御回路１４は、メモリ１５に記録された情報の読み出し動作を行い、読み出した情報（信号）の変調増幅を指示する信号を送受信回路１２に出力する。
【００４６】
メモリ１５は、図４にそのデータ記録例を示すように、各種注文情報を記録する。注文情報には、注文ＩＤ、受注日時、注文枚数、プリント対象画像のコマ番号又はファイル名、プリントサイズ、プリント種類、プリント方向、加工条件、プリント料金、プリント料金の決済方法等のプリント注文に関する情報や、注文者の氏名、電話番号、メールアドレス等の注文者に関する情報が含まれる。
【００４７】
次に、受付端末４０について説明する。
受付端末４０は、表示手段、入力手段の他、無線ＩＣタグに対して情報の読み書きを行うリーダライタ５０を備えており、例えば、パーソナルコンピュータやＰＤＡ（Ｐｅｒｓｏｎａｌ  Ｄｉｇｉｔａｌ  Ａｓｓｉｓｔａｎｔ）等の情報処理装置が適用可能である。
【００４８】
受付端末４０は、リーダライタ５０を介して、注文受付時には、オペレータにより入力された注文情報をプリント注文票Ｆの無線ＩＣタグ１０に記録するとともに、当該注文情報をプリント生産装置１００に送信する。また、プリント生産後には、リーダライタ５０を介してプリント注文票Ｆの無線ＩＣタグ１０から読み出された注文情報と、プリント生産物Ｓに備えられた無線ＩＣタグ２０から読み出されたプリント生産情報とを比較し、当該注文情報とプリント生産情報との対応がとれているか否かを判別する。そして、各情報の対応がとれている場合は、リーダライタ５０を介してプリント注文票Ｆの無線ＩＣタグ１０にプリント生産情報を記録し、情報の対応がとれていない場合は、対応がとれていないことを表示手段に警告表示する。
【００４９】
リーダライタ５０について説明する。
リーダライタ５０は、読取手段及び第２の記録手段であり、プリント注文票Ｆの無線ＩＣタグ１０又はプリント生産物Ｓの無線ＩＣタグ２０に対して情報の読み書きを行う。
図５に、リーダライタ５０の機能的構成を示す。
図５に示すように、リーダライタ５０は、アンテナ５１、送受信回路５２、制御回路５３、Ｉ／Ｆ５４から構成される。
【００５０】
アンテナ５１は、無線ＩＣタグから送信された電波信号を受信し、受信した信号を送受信回路１６２に出力する。また、送受信回路５２からの入力信号を無線ＩＣタグに送信する。
【００５１】
送受信回路５２は、アンテナ５１からの入力信号を復調して制御回路５３に出力する。また、制御回路５３からの入力信号を変調増幅し、アンテナ５１に出力する。
【００５２】
制御回路５３は、送受信回路５２からの入力信号とともに、当該入力信号を受付端末４０に送信するよう指示する指示信号をＩ／Ｆ５４に出力する。Ｉ／Ｆ５４は、受付端末４０と情報の送受信を行うためのインターフェイスである。また、Ｉ／Ｆ５４を介して受付端末４０から入力された、無線ＩＣタグに送信する信号とともに、当該信号の変調増幅を指示する信号を送受信回路５２に出力する。
【００５３】
次に、プリント生産装置１００について説明する。
プリント生産装置１００は、受付端末４０から送信された注文情報に基づいてオペレータによりプリント指示された画像情報のプリント生産を行い、プリント生産物Ｓを出力するものである。以下、感光材料への露光現像を行うことによりプリント生産物Ｓとして写真を出力する例を説明するが、これに限らず、プリント生産には、ネガフィルム、ポストカード等の写真以外のプリント生産や、記録メディアへの画像情報の記録等も含むこととする。
【００５４】
図６に、プリント生産装置１００の内部透視図を示す。
図６に示すように、プリント生産装置１００は、プリント生産装置１００の各部を統括的に制御するホストコンピュータ１１０、ホストコンピュータ１１０から出力された露光用画像情報に基づいてプリント用のペーパーＰに露光を行う露光装置２００、露光されたペーパーＰを現像処理する現像装置３００、現像処理されて得られたプリント生産物Ｓを仕分けるソータ４００、フィルムスキャナ６００等を備えて構成される。なお、図６において点線で示す搬送ルートＲは、プリント用のペーパーＰが搬送される経路を示している。
【００５５】
まず、プリント生産に用いられるプリント用ペーパーＰについて、図７を参照して説明する。
図７は、ペーパーＰの外観図である。図７に示すように、ペーパーＰは、支持体層とハロゲン化銀等の感光材料からなる感光層とから構成されたシート状のペーパーがロール形成されたものである。
【００５６】
ペーパーＰには、無線ＩＣタグ２０が幅方向の中央部に、所定間隔毎に組み込まれる。なお、無線ＩＣタグ２０の組み込みは、ペーパーＰにプリントされる画像に影響しないのであれば特にその組み込み方法は限定せず、支持体層側に貼付する、或いは感光層と支持体層との間に挟み込むこととしてもよい。
【００５７】
無線ＩＣタグ２０は、プリント生産情報を電子情報として記録する情報記録部であり、その機能的構成は上述した無線ＩＣタグ１０と同一であるので図示及び詳細な説明を省略する。すなわち、無線ＩＣタグ２０は、アンテナ、送受信回路、電源回路、制御回路、メモリを備えて構成され、リーダライタにより情報の読み書きが可能である。
【００５８】
なお、無線ＩＣタグ２０には、ペーパーＰに関するペーパー情報が、ペーパーＰの生産時に既に記録されていることとする。ペーパー情報には、ペーパー生産時のロット番号、ペーパーサイズ（例えば、ペーパーの幅、長さ、厚さ等）、ペーパーの質感（例えば、艶感、マット感等）、ペーパーを現像処理する際の種類を示す処理種（例えば、ケミカル種等）、ペーパー特性等が含まれる。
【００５９】
以下、プリント生産装置１００の各構成装置について説明する。
まず、ホストコンピュータ１１０について説明する。
図６に示すように、ホストコンピュータ１１０は、キーボード１２０、メディアリーダ１４０、ＣＤ（Ｃｏｍｐａｃｔ  Ｄｉｓｋ）ドライブ１５０、フラットベットスキャナ１７０、タッチパネル１８０と一体型のモニタ１９０から構成される。
【００６０】
ホストコンピュータ１１０は、受付端末４０から送信された注文情報に基づいて、フラットベットスキャナ１７０によりプリント写真から読み取られた画像情報、フィルムスキャナ６００によりフィルムから読み取られた画像情報、或いはメディアリーダ１４０又はＣＤドライブ１５０に装着された記録媒体から読み取られた画像情報に各種画像処理を行い、露光用画像情報を生成して露光装置２００に出力する。
【００６１】
次に、露光装置２００について説明する。
図８（ａ）は、露光装置２００の概略上面図であり、図８（ｂ）は、露光装置２００の概略正面図である。
図８（ａ）、（ｂ）に示すように、露光装置２００は、マガジン２１０から露光部２５０にペーパーＰを搬送する搬送部２４０と、ホストコンピュータ１１０により指示されたタイミングでマガジン２１０から搬送されたペーパーＰをカットするカッター装置８００と、カッター装置８００によりカットされたペーパーＰに露光を行う露光部２５０と、を有する。
【００６２】
搬送部２４０は、マガジン２１０から送出されたペーパーＰを搬送する搬送ローラ対２４１と、カッター装置８００で切断されたペーパーＰを露光部２５０に搬送する搬送ローラ対２４２、２４４、搬送ガイド２４３と、露光部２５０においてペーパーＰを搬送する搬送ローラ対２４５〜２４８を有する。なお、搬送ローラ対２４１，２４２、２４４は円筒形のローラであり、搬送ローラ対２４４〜２４８は溝ローラである。
【００６３】
搬送ローラ対２４１には、ペーパーＰにおける無線ＩＣタグ２０の組み込み位置を検出するリーダ２４１ａが設置される。この位置検出は、カッター装置８００によりペーパーＰを切断する際に、無線ＩＣタグ２０の切断を防ぐとともに、切断済みの各ペーパーＰに少なくとも１つの無線ＩＣタグ２０が組み込まれるように切断のタイミングを調整するために行われる。
【００６４】
リーダ２４１ａは、図９（ａ）にその設置例を示すように、ループアンテナｒ、送受信回路（図示せず）を備えて構成され、複数のループアンテナｒを接続して搬送ローラ対２４１の幅方向の一線上に取り付けられる。また、図９（ｂ）に示すように、一つのループアンテナｒを搬送ローラ対２４１の全面に亘って取り付けることとしてもよい。
【００６５】
リーダ２４１ａは、ループアンテナｒを介して無線ＩＣタグ２０からペーパー情報を受信し、当該ペーパー情報と無線ＩＣタグ２０を検出したことを示す検出情報とをホストコンピュータ１１０に出力する。ホストコンピュータ１１０では、リーダ２４１ａから入力された無線ＩＣタグ２０の検出情報と、注文情報により指定されたプリント条件とに基づいて、ペーパーＰの切断位置、つまりカッター装置８００による切断のタイミングが決定され、そのタイミング情報がカッター装置８００に出力される。
【００６６】
カッター装置８００には、２つのマガジン２１０から搬送された各ペーパーＰをそれぞれ個別のタイミングで切断するためのカッター８１０、８２０が設けられている。カッター装置８００は、ホストコンピュータ１１０から指示されたタイミングでペーパーＰを切断する。切断済みのペーパーＰは、露光部２５０に搬送される。
【００６７】
露光部２５０には、露光用画像情報に基づいて、青色光を発光する青色用露光ヘッド２５１と、緑色光を発光する緑色用露光ヘッド２５２と、赤色光を発光する赤色用露光ヘッド２５３とが、露光時の主走査方向がペーパーＰの搬送方向に対して垂直になるように設けられている。青色用露光ヘッド２５１と緑色用露光ヘッド２５２は、複数の複数の発光部が搬送部２４０の搬送方向と直交する方向に２列の直線上に点線状に配列されたＶＦＰＨ（蛍光プリントヘッド）であり、赤色用露光ヘッド２５３は、複数の発光部が搬送部２４０の搬送方向と直交する方向に１列の直線上に点線状に配列されたＬＥＤアレイ（発光ダイオードアレイ）である。
【００６８】
そして、青色用露光ヘッド２５１から発光した青色光と、緑色用露光ヘッド２５２から発光した緑色光と、赤色用露光ヘッド２５３から発光した赤色光とは、セルフォックスレンズによりそれぞれ切断済みのペーパーＰ上に結像され、露光が行われる。露光処理されたペーパーＰは、ライタ２６０によりプリント生産情報が記録された後、現像装置３００に搬送される。
【００６９】
ライタ２６０は、第１の記録手段であり、図８（ａ）に示すように、２組のマガジンから搬送されたペーパーＰのそれぞれに対して設けられる。ライタ２６０は、リーダライタ５０と同一の機能的構成であるので、その図示及び詳細な説明を省略する。すなわち、アンテナや送受信回路を備えて構成され、アンテナを介してホストコンピュータ１１０から入力されたプリント生産に関するプリント生産情報を無線ＩＣタグ２０に送信し、プリント生産情報の記録を行う。プリント生産情報には、プリント条件、画像処理条件等の情報が含まれ、プリント条件としては、例えば注文ＩＤ、プリントされた画像のコマ番号又はファイル名、プリントサイズ、プリント種類、プリント方向、加工条件等が含まれ、画像処理条件としては、例えば色補正値、コントラスト調整、鮮鋭度調整、ホワイトバランス調整等が含まれる。
【００７０】
次に、現像装置３００について説明する。
図６に示すように、現像装置３００は、露光装置２００から送出されたペーパーＰを発色現像する発色現像処理槽３１０と、発色現像されたペーパーＰを漂白定着処理する漂白定着処理槽３２０と、漂白定着処理されたペーパーＰを安定化処理する安定化処理部３３０と、安定化処理されたペーパーＰを乾燥処理する乾燥処理部３４０と、を有する。乾燥処理されたペーパーＰは、プリント生産物Ｓとしてソータ４００に送出される。
【００７１】
ソータ４００は、複数の排紙トレイを有し、ホストコンピュータ１１０からの指示に従って、現像装置３００から送出されたプリント生産物Ｓの仕分けを行って各排紙トレイに排出する。
【００７２】
図１０に、排出されたプリント生産物Ｓを例示する。
図１０に示すように、プリント生産物Ｓの表面には画像がプリントされ、無線ＩＣタグ２０が組み込まれている。この無線ＩＣタグ２０には、図１１にそのデータ記録例を示すように、プリント条件、画像処理条件等のプリント生産情報やペーパー情報が記録されている。
【００７３】
次に、本実施の形態の動作を説明する。
図１２は、プリント生産システム１におけるプリント生産の過程を説明するフローチャートである。このプリント生産過程では、プリント注文票Ｆに記入された注文情報に基づいてプリント生産物Ｓが生産され、そのプリント生産後に、プリント注文票Ｆの無線ＩＣタグ１０から読み出した注文情報と、プリント生産物Ｓの無線ＩＣタグ２０から読み出したプリント生産情報とを比較し、プリント収容袋Ｂと当該プリント収容袋Ｂに収容されるプリント生産物Ｓとの対応がとれているか否かが判別される。
【００７４】
図１２に示すステップ１では、プリント注文者によりプリント注文票Ｆに注文情報が記入されたプリント収容袋Ｂがプリント店舗に持ち込まれ、注文の申し込みが行われる。プリント店舗では、店員が注文を受け付けてプリント注文票Ｆに記入されている注文情報を受付端末４０に入力する。
【００７５】
ステップＳ２では、受付端末４０に入力された注文情報がリーダライタ５０を介してプリント注文票Ｆの無線ＩＣタグ１０に記録される。また、受付端末４０からプリント生産装置１００に注文情報が出力される。
【００７６】
ステップＳ３では、プリント生産装置１００において注文情報に基づくプリント生産が行われる。プリント生産装置１００では、まず画像情報が記録されているフィルムや記録メディア等からプリント対象の画像情報が、フィルムスキャナ６００、メディアリーダ１４０等の各読取装置により読み出され、ホストコンピュータ１１０に出力される。ホストコンピュータ１１０では、プリント対象の画像情報に画像処理が施された後、露光用の画像情報が生成され、この露光用の画像情報が露光装置２００に出力される。次いで、マガジン２１０からペーパーＰの搬送が開始され、リーダ２４１ａにより搬送中のペーパーＰにおける無線ＩＣタグ２０の組み込み位置の検出情報とともにペーパー情報がホストコンピュータ１１０に出力される。ホストコンピュータ１１０では、入力された検出情報と注文情報におけるプリント条件とに基づいて、カッター装置８００における切断タイミングが決定され、そのタイミング情報がカッター装置８００に出力される。
【００７７】
カッター装置８００では、ホストコンピュータ１１０からのタイミング情報に基づいて搬送中のペーパーＰの切断が行われる。切断されたプリントサイズのペーパーＰは露光装置２００に搬送され、露光装置２００では、搬送されたペーパーＰに対して露光用画像情報に基づく露光処理が行われる。露光処理が終了した各ペーパーＰは、搬送機構２４０により現像装置３００の方へ搬送される。
【００７８】
ステップＳ４では、現像装置３００への搬送途中において、ライタ２６０により、露光済みの各ペーパーＰの無線ＩＣタグ２０に、そのペーパーＰに関するプリント生産情報が記録される。このとき、同一注文に応じてプリント生産された全てのペーパーＰの無線ＩＣタグ２０にプリント生産情報を記録することとしてもよいし、同一注文に応じてプリント生産された全てのペーパーＰのうち、例えば同一注文に属する最初と最後のペーパーＰの無線ＩＣタグ２０のみにプリント生産情報を記録する等、その一部にのみ記録することとしてもよい。
【００７９】
プリント生産情報が記録された各ペーパーＰは現像装置３００の方へ搬送され現像処理が施される。そして、現像処理が施された各ペーパーＰはソータ４００に送出され、同一注文に属するペーパーＰ毎に仕分けされてソータ４００の排紙トレイにプリント生産物Ｓとして排出される。
【００８０】
オペレータは、ソータ４００に排出されたプリント生産物Ｓをプリント収容袋Ｂに収容する際に、リーダライタ５０によりプリント注文票Ｆの無線ＩＣタグ１０と、プリント生産物Ｓの無線ＩＣタグ２０とから情報の読み取りを行わせ、受付端末４０に読み取った注文情報とプリント生産情報を入力する。なお、リーダライタ５０による情報の読み出しは、図１３（ａ）に示すように、プリント生産物Ｓをプリント収容袋Ｂに収容する前に、別々に順次読み出すこととしてもよいし、図１３（ｂ）に示すように、プリント収容袋Ｂにプリント生産物Ｓを収容した後に、一括して読み出しを行うこととしてもよい。収容後に読み出しを行う場合、リーダライタ５０では、アンテナの位置が近い無線ＩＣタグから順に読み出しが行われる。
【００８１】
ステップＳ５では、リーダライタ５０によりプリント注文票Ｆの無線ＩＣタグ１０から注文情報が読み出されるとともに、当該プリント収容袋Ｂに収容するプリント生産物Ｓの無線ＩＣタグ２０からプリント生産情報が読み出され、読み出された注文情報及びプリント生産情報は、受付端末４０に出力される。
【００８２】
ステップＳ６では、受付端末４０において、リーダライタ５０から入力された注文情報とプリント生産情報とが比較され、当該注文情報とプリント生産情報とは対応しているか否かが判別される。例えば、注文情報とプリント生産情報とに共通する注文ＩＤ、プリント枚数、プリント対象画像のコマ番号又は画像ファイル名、プリント種類、プリントサイズ等の各項目情報がそれぞれ比較され、一致するか否かにより対応しているか否かが判別される。
【００８３】
比較の結果、注文情報とプリント生産情報とは対応していると判別された場合（ステップＳ５；対応する）、プリント生産物Ｓが収容すべきプリント収容袋Ｂに収容された、かつ注文情報に応じたプリント生産物Ｓがプリント生産されたと判断され、ステップＳ７において、リーダライタ５０によりプリント生産物Ｓから読み出されたプリント生産情報がプリント注文票Ｆの無線ＩＣタグ２０に記録される。また、プリント生産物Ｓとプリント収容袋Ｂとは対応していることを通知するメッセージが受付端末４０の表示手段に表示される。
【００８４】
オペレータは、受付端末４０の表示手段に表示された通知メッセージによりプリント生産物Ｓとプリント収容袋Ｂとは対応していることを確認して、プリント生産物Ｓをプリント収容袋Ｂに収容する。そして、プリント生産物Ｓを収容したプリント収容袋Ｂをプリント注文者に返却する。
【００８５】
一方、注文情報とプリント生産情報とは対応していないと判別された場合（ステップＳ５；対応しない）、ステップＳ８において、プリント生産物Ｓが誤ったプリント収容袋Ｂに収容された又は注文情報に応じたプリント生産が行われなかったと判断され、プリント生産物Ｓとプリント収容袋Ｂとは対応しないことを警告する警告メッセージが受付端末４０の表示手段に表示される。このとき、警告とともに、読み出した注文情報とプリント生産情報との一覧を示す警告画面（図１４参照）を表示して情報提供を図ることとしてもよいし、「プリント枚数が不一致です」等の対応がとれていない情報がどの情報であるかを表示して必要な情報のみを提供するようにしてもよい。
【００８６】
オペレータは、受付端末４０の表示手段に表示された警告メッセージにより、プリント生産物Ｓとプリント収容袋Ｂとは対応しないことを確認して、プリント生産物Ｓに対応するプリント収容袋Ｂを検索する、或いはプリント生産をやり直す等の対応をとることが可能である。
【００８７】
以上のように、プリント注文票Ｆには注文情報を記録する無線ＩＣタグ１０を備え、プリント生産物Ｓにはプリント生産情報を記録する無線ＩＣタグ２０を備えて、プリント生産後、プリント注文票Ｆが印刷されたプリント収容袋Ｂにプリント生産物Ｓを収容する際には、各無線ＩＣタグ１０、２０から注文情報、プリント生産情報をそれぞれ読み出して対応しているか否かを判別するので、プリント生産物Ｓと注文との対応を確認するオペレータの照合作業を省略することができ、プリント生産の処理効率を向上させることができる。また、プリント生産物Ｓを収容すべきプリント収容袋Ｂの正誤確認を行うことも可能である。
【００８８】
また、無線ＩＣタグは情報の書き換えが可能であるので、プリント注文票Ｆ又はプリント注文票Ｆが印刷されたプリント収容袋Ｂを再利用することができる。
【００８９】
また、無線ＩＣタグにより記録する情報量の大容量化が図れるので、プリント注文票Ｆの無線ＩＣタグ１０には、注文情報の履歴、プリント生産情報の履歴を記録することができ、注文又はプリント生産の履歴確認が容易となる。
再注文時には、プリント生産物Ｐの無線ＩＣタグ２０に記録されたプリント生産情報を用いて、再度同一のプリント条件で注文することも可能であるし、プリント注文票Ｆの無線ＩＣタグ１０に記録された注文情報及びプリント生産情報を用いて、再度同一の注文条件及びプリント条件で注文することも可能である。
【００９０】
また、無線ＩＣタグは、非接触で情報の読み書きが可能であるので、プリント収容袋Ｂにプリント生産物Ｓを収容した後であっても容易に注文情報及びプリント生産情報を読み出すことができる。さらに、プリント生産システム１において、プリント生産装置１００によりプリント生産されたプリント生産物Ｓを自動的にプリント収容袋Ｂに収容する梱包装置を設置した場合でも、収容後に容易に注文情報とプリント生産情報との対応確認を行うことができ、利便性が向上する。
【００９１】
なお、第１の実施の形態における記述内容は、本発明を適用したプリント生産システム１の好適な一例であり、これに限定されるものではない。
【００９２】
例えば、上述の説明では、受付端末４０にリーダライタ５０を備えることとしたが、プリント生産装置１００にリーダライタ５０を備えて、プリント生産装置１００のホストコンピュータ１１０により、注文情報とプリント生産情報とは対応しているか否かを判別することとしてもよい。このとき、対応している場合は、リーダライタ５０によりプリント注文票Ｆの無線ＩＣタグ１０にプリント生産情報を記録し、対応していない場合はモニタ１８０に警告表示を行う。
【００９３】
また、プリント生産装置１００に、プリント生産物Ｓをプリント収容袋Ｂに自動的に収容する梱包装置を接続したプリント生産システムであってもよい。この場合、梱包装置によりプリント生産物Ｓが収容された後に、情報の比較判別を行う。
【００９４】
また、上述した説明では、露光装置２００と現像装置３００とが一体型であり、露光を行う前にペーパーＰを指定されたプリントサイズにカッター装置８００で切断するプリント生産装置１００を適用した例を説明したが、これに限定せず、例えば図１５に示すように、露光装置２００、現像装置３００、カッター装置８００を別体構成としたプリント生産システム２であってもよい。
【００９５】
図１６に、別体構成の場合の露光装置２００の内部透視図を示す。
図１６に示すように、別体構成の露光装置２００には、ホストコンピュータ１１０、モニタ１９０等が備えられる。この露光装置２００では、ロール状のペーパーＰを露光前に切断せず、露光装置２００において露光処理が施されたペーパーＰは再度、巻取マガジン２２０において、ロール状に巻き取られ、そのロール状のまま現像装置３００のマガジンに装着される。現像装置３００においても同様に現像処理後は再度ロール状に巻き取られてカッター装置８００のマガジンに装着され、カッター装置８００により画像毎に切断されて排出される。
【００９６】
また、露光装置２００の露光部２５０の前段には、ペーパーＰの無線ＩＣタグ２０の位置検出を行うリーダ２４１ａが設置され、露光を行う各画像に少なくとも一つの無線ＩＣタグ２０が含まれるよう露光調整が行われる。
また、カッター装置８００では、カッター装置８００に設置されたリーダ２４１ａにより、露光装置２００のライタ２６０によりペーパーＰの無線ＩＣタグ２０に記録されたプリント生産情報が読み出され、当該プリント生産情報に基づいて画像がプリントされた位置が把握され、ペーパーＰの切断位置が決定される。
【００９７】
このように構成されたプリント生産システム２では、露光現像されたペーパーＰがカッター装置８００によって切断されてプリント生産物Ｓとして排出され、プリント生産システム１と同様に、受付端末４０により注文情報とプリント生産情報との比較判別が行われる。
【００９８】
その他、本実施の形態におけるプリント生産システム１の細部構成及び細部動作に関しても、本発明の趣旨を逸脱することのない範囲で適宜変更可能である。
【００９９】
【発明の効果】
請求項１、８に記載の発明によれば、プリント注文票の情報記録部から注文情報を、プリント生産物の情報記録部からプリント生産情報を読み出して対応しているか否かを判別し、対応していない場合は注文とプリント生産物とが対応していないことを警告するので、注文とプリント生産物との対応を確認するオペレータの照合作業を省略することができ、プリント生産の処理効率を向上させることができる。
【０１００】
請求項２、９に記載の発明によれば、注文情報とプリント生産情報とが対応している場合は、プリント生産情報をプリント注文票の情報記録部に記録するので、プリント注文票の情報記録部に注文情報及びプリント生産情報の履歴を記録することができ、履歴の確認が容易となる。
【０１０１】
請求項３、１０に記載の発明によれば、再注文時には情報記録部に記録されているプリント生産情報及び／又は注文情報に基づいてプリント生産を行うので、再注文時でも、前回の注文時と同じ注文条件、プリント条件でプリントを行うことができる。
【０１０２】
請求項４、１１に記載の発明によれば、同一注文に属する全てのプリント生産物の情報記録部にプリント生産情報が記録されるので、より確実に注文とプリント生産物との対応確認を行うことができる。
【０１０３】
請求項５、１２に記載の発明によれば、同一注文に属するプリント生産物の一部にプリント生産情報が記録されるので、注文情報とプリント生産情報との対応確認に必要な一部だけの記録で済み、プリント生産の処理効率を向上させることができる。
【０１０４】
請求項６、１３に記載の発明によれば、プリント収容袋にプリント生産物を収容する前に、注文情報とプリント生産情報とを読み取るので、収容前に注文情報とプリント生産情報とが対応しているか否かを判別することができる。
【０１０５】
請求項７、１４に記載の発明によれば、プリント収容袋にプリント生産物を収容した後に、注文情報とプリント生産情報とを読み取るので、収容後であっても注文情報とプリント生産情報とが対応しているか否かを判別することができる。
【０１０６】
請求項１５に記載の発明によれば、注文情報を電子情報としてプリント注文票に記録することができる。
【０１０７】
請求項１６に記載の発明によれば、注文情報を電子情報として記録するプリント注文票をプリント収容袋に設けることができる。
【０１０８】
請求項１７に記載の発明によれば、プリント生産情報を電子情報としてプリント生産物に記録することができる。
【図面の簡単な説明】
【図１】本発明を適用した実施の形態のプリント生産システム１のシステム構成を示す図である。
【図２】プリント収容袋Ｂの表面に印刷されたプリント注文票Ｆを示す図である。
【図３】図２の無線ＩＣタグ１０の機能的構成を示す図である。
【図４】無線ＩＣタグ１０に記録される注文情報のデータ記録例を示す図である。
【図５】リーダライタ５０の機能的構成を示す図である。
【図６】プリント生産装置１００の正面内部透視図である。
【図７】プリント用のペーパーＰにおける無線ＩＣタグ２０の組み込み例を示す図である。
【図８】（ａ）は、露光装置２００の概略上面図であり、（ｂ）は、露光装置２００の概略正面図である。
【図９】搬送ローラ２４１におけるリーダ２４１ａの設置例を示すであり、（ａ）は複数のループアンテナｒを接続して設置された例であり、（ｂ）は一つのループアンテナｒが搬送ローラの２４１の全面に亘って設置された例である。
【図１０】プリント生産物Ｓを示す図である。
【図１１】プリント生産物Ｓに組み込まれた無線ＩＣタグ２０に記録されるプリント生産情報のデータ記録例を示す図である。
【図１２】プリント生産システム１におけるプリント生産の過程を説明するフローチャートである。
【図１３】（ａ）は、プリント収容袋Ｂにプリント生産物Ｓを収容する前の状態を示し、（ｂ）はプリント収容袋Ｂにプリント生産物Ｓを収容した後の状態を示す。
【図１４】受付端末４０の表示手段に表示される警告画面の画面例である。
【図１５】露光装置２００、現像装置３００、カッター装置８００を別体構成とした場合のプリント生産システム２のシステム構成を示す図である。
【図１６】別体構成の場合の露光装置２００の正面内部透視図である。
【符号の説明】
１    プリント生産システム
Ｂ    プリント収容袋
Ｆ    プリント注文票
１０    無線ＩＣタグ
Ｓ    プリント生産物
２０    無線ＩＣタグ
４０    受付端末
５０    リーダライタ
１００    プリント生産装置
１１０    ホストコンピュータ
２００    露光装置
２１４ａ    リーダ
２６０    ライタ
３００    現像装置
４００    ソータ
８００    カッター装置
【図１】
2004264375.tif 000003
【図２】
2004264375.tif 000004
【図３】
2004264375.tif 000005
【図４】
2004264375.tif 000006
【図５】
2004264375.tif 000007
【図６】
2004264375.tif 000008
【図７】
2004264375.tif 000009
【図８】
2004264375.tif 000010
【図９】
2004264375.tif 000011
【図１０】
2004264375.tif 000012
【図１１】
2004264375.tif 000013
【図１２】
2004264375.tif 000014
【図１３】
2004264375.tif 000015
【図１４】
2004264375.tif 000016
【図１５】
2004264375.tif 000017
【図１６】
2004264375.tif 000018